(57)【要約】【課題】  便が宿便や大きい便でも詰まり等を生じることなく円滑に排出できるようにする排便器具を提供する。【解決手段】  防水性の長尺のチューブ４を筒体２の先端を含む外周に被覆し、チューブ４を筒体２内から外方へ引き出す引張部材５をチューブ４に貫通させて水密状に固着し、同貫通させた引張部材５の先端に引張部材５を通じて給水した温水を直腸内へ噴水するノズル５ａを形成し、同ノズル５ａへ温水を給水する給水具６のチューブ６ａを引張部材５の後部と脱着自在に接続し、筒体２の後部外周に肛門及びその周囲を覆う面積の防水性のシート４ｃを水密状に固着し、筒体２をチューブ４ごと直腸に挿入して引張部材５の先端から温水を噴水して便を軟化させ、筒体２の先端を便に埋入させると同時に引張部材５でチューブ４を筒体２内へ引き込みながら便を筒体２内のチューブ４に取り込んで筒体２外へ排出するようにした。【選択図】図１
2006223704.tif 000002
【特許請求の範囲】
【請求項１】
直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に貫通させて水密状に固着し、筒体の後部外周に肛門及びその周囲を覆う面積の防水性のシートを水密状に固着し、同シートの肌面側の肛門周囲位置に肛門を囲むように配置される吸収パッドを取り付け、引張部材内に給水路を形成し、同給水路を通じて給水した液体を直腸内へ噴水するノズルを引張部材の先端に形成し、同ノズルへ液体を給水する給水管を引張部材の後部と脱着自在に接続し、筒体をチューブごと直腸に挿入して引用部材のノズルから噴水させた液体で便を軟化させ、筒体の先端を便中に埋入させると同時に引張部材でチューブを筒体内へ引き込みながら便をチューブ内に取り込んで体外へ排出するようにした排便器具。
【請求項２】
直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に貫通させて水密状に固着し、筒体の後部外周に肛門及びその周囲を覆う面積の防水性のシートを水密状に固着し、同シートの肌面側の肛門周囲位置に肛門を囲むように配置される吸収パッドを取り付け、引張部材の先端に直腸内の便を掻き出す掻出具を設け、筒体をチューブごと直腸に挿入して掻出具で便を掻き出し、筒体の先端を便中に埋入させると同時に引張部材でチューブを筒体内へ引き込みながら便をチューブ内に取り込んで体外へ排出するようにした排便器具。
【請求項３】
掻出具の先端に引張部材を通じて給水した液体を噴水するノズルを形成し、ノズルに液体を給水する給水チューブを引張部材の後部と脱着自在に接続した請求項２記載の排便器具。
【請求項４】
直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に固着し、筒体の後部外周に肛門及びその周囲を覆う面積の防水性のシートを水密状に固着し、同シートの肌面側の肛門周囲位置に肛門を囲むように配置される吸収パッドを取り付け、チューブの筒体先端中央部に指を挿入する凹所を形成し、筒体をチューブごと直腸に挿入して凹所に挿入した指で便をほぐし、筒体の先端を便中に埋入させると同時に引張部材でチューブを筒体内へ引き込みながら便をチューブ内に取り込んで体外へ排出するようにした排便器具。
【請求項５】
筒体を進退自在且つ水密状に挿入するガイド筒を設け、同ガイド筒の肌面側にシートの吸収パッドの部分を肌面へ押し付ける押付部を設けた請求項１〜４いずれか記載の排便器具。
【請求項６】
シートの肌面側の外周部にシートで筒体の前方を被覆して閉塞する剥離紙付きの閉塞粘着部を設けた請求項１〜５いずれか記載の排便器具。
【請求項７】
シートの肌面側の閉塞粘着部の内側に吸収性の拭取パッドを取り付けた請求項６記載の排便器具。
【請求項８】
拭取パッドに消毒・消臭・抗菌のいずれかの薬剤を浸漬させた請求項７記載の排便器具。
【請求項９】
シートを不透明な材料で構成し、肌面が見えないようにした請求項１〜８いずれか記載の排便器具。
【請求項１０】
筒体の先端部にチューブを拡幅する拡幅機構を設け、チューブに便を取り込み易くした請求項１〜９いずれか記載の排便器具。
【発明の詳細な説明】
【技術分野】
【０００１】
本発明は、自力で排出できない人の便を容易な操作で強制的に排出する排便器具に関する。
【背景技術】
【０００２】
従来、防水性の長尺の袋体内に筒体を先端から挿入し、袋体を筒体内から外方へ引き出す引張部材を袋体に固着し、筒体を袋体ごと直腸に挿入して筒体の先端を便に押し付け、引張部材で袋体を筒体内へ引き込みながら便を筒体内の袋体に取り込んで筒体外へ排出できるようにした構造の排便器具が特許文献１で提案されている。
【０００３】
この排便器具は、非常に容易な操作で便を強制的且つ効率的に排出できる効果を有している。しかしながら、便が宿便や筒体の内径より拡径の大きな便である場合は筒体に取り込むことが困難となったり詰まったりし、排出ができないか又は排出に時間を要する問題があった。
【特許文献１】特開２００３−１５９３２３号公報
【発明の開示】
【発明が解決しようとする課題】
【０００４】
本発明が解決しようとする課題は、従来のこれらの問題点を解消し、容易な操作で便を強制的に排出でき、しかも便が宿便や大きい便の場合でも詰まり等を生じることなく円滑に排出できるようにする排便器具を提供することにある。
【課題を解決するための手段】
【０００５】
かかる課題を解決した本発明の構成は、
１）  直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に貫通させて水密状に固着し、筒体の後部外周に肛門及びその周囲を覆う面積の防水性のシートを水密状に固着し、同シートの肌面側の肛門周囲位置に肛門を囲むように配置される吸収パッドを取り付け、引張部材内に給水路を形成し、同給水路を通じて給水した液体を直腸内へ噴水するノズルを引張部材の先端に形成し、同ノズルへ液体を給水する給水管を引張部材の後部と脱着自在に接続し、筒体をチューブごと直腸に挿入して引用部材のノズルから噴水させた液体で便を軟化させ、筒体の先端を便中に埋入させると同時に引張部材でチューブを筒体内へ引き込みながら便をチューブ内に取り込んで体外へ排出するようにした排便器具
２）  直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に貫通させて水密状に固着し、筒体の後部外周に肛門及びその周囲を覆う面積の防水性のシートを水密状に固着し、同シートの肌面側の肛門周囲位置に肛門を囲むように配置される吸収パッドを取り付け、引張部材の先端に直腸内の便を掻き出す掻出具を設け、筒体をチューブごと直腸に挿入して掻出具で便を掻き出し、筒体の先端を便中に埋入させると同時に引張部材でチューブを筒体内へ引き込みながら便をチューブ内に取り込んで体外へ排出するようにした排便器具
３）  掻出具の先端に引張部材を通じて給水した液体を噴水するノズルを形成し、ノズルに液体を給水する給水チューブを引張部材の後部と脱着自在に接続した前記２記載の排便器具
４）  直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に固着し、筒体の後部外周に肛門及びその周囲を覆う面積の防水性のシートを水密状に固着し、同シートの肌面側の肛門周囲位置に肛門を囲むように配置される吸収パッドを取り付け、チューブの筒体先端中央部に指を挿入する凹所を形成し、筒体をチューブごと直腸に挿入して凹所に挿入した指で便をほぐし、筒体の先端を便中に埋入させると同時に引張部材でチューブを筒体内へ引き込みながら便をチューブ内に取り込んで体外へ排出するようにした排便器具
５）  筒体を進退自在且つ水密状に挿入するガイド筒を設け、同ガイド筒の肌面側にシートの吸収パッドの部分を肌面へ押し付ける押付部を設けた前記１）〜４）いずれか記載の排便器具
６）  シートの肌面側の外周部にシートで筒体の前方を被覆して閉塞する剥離紙付きの閉塞粘着部を設けた前記１）〜５）いずれか記載の排便器具
７）  シートの肌面側の閉塞粘着部の内側に吸収性の拭取パッドを取り付けた前記６）記載の排便器具
８）  拭取パッドに消毒・消臭・抗菌のいずれかの薬剤を浸漬させた前記７）記載の排便器具
９）  シートを不透明な材料で構成し、肌面が見えないようにした前記１）〜８）いずれか記載の排便器具
にある。
【発明の効果】
【０００６】
本発明によれば、便の排出前に直腸内の便を液体で軟化させたり、引張部材に備えた掻出具で便を掻き出したり処置者の指でほぐすから、便が宿便や大きい便でも詰まり等が生じることなく便をチューブに円滑に取り込んで迅速に体外へ排出できる。
【発明を実施するための最良の形態】
【０００７】
本発明の袋体としては、ポリエチレンやポリプロピレン等の樹脂フィルム，樹脂フィルムより厚い樹脂シート，シート状のゴム等の防水性を有し且つ人体に害を与えない材質が望ましい。引張部材としては、紐体や棒体などがあり、強度やコストに応じて選定される。引張部材には内部に給水路と先端にノズルをそれぞれ形成し、外部から給水した温水や排便を促す薬剤を直腸内に噴水させて便を軟化させたりする給水手段を設けたり、あるいは引張部材の先端に傘状の掻出具を設けて便をほぐしたり、袋体に指を挿入する凹所を形成して便を直腸に挿入して便を掻き出したりすることで、宿便や大きい便を詰まり等を生じることなく円滑に排出できるようにする。以下、本発明の各実施例を図面に基づいて具体的に説明する。
【実施例１】
【０００８】
図１〜４に示す実施例１は、引張部材に温水の噴水機能を有した排便器具の例である。図１は実施例１の排便器具の断面図、図２は実施例１の排便器具の先端部の説明図、図３，４は実施例１の排便器具の使用状態を示す説明図である。図中、１は排便器具、２は筒体、２ａは把持部、３はガイド筒、３ａは挿入口部、３ｂは把手部、３ｃはシール部、３ｄは押付部、４はチューブ、４ａはシール部、４ｂは環状ゴム、４ｃはシート、５は引張部材、５ａはノズル、５ｂは給水路、５ｃは接続部、５ｄは栓、６は給水具、６ａはチューブ、７は吸収パッド、８は拭取パッド、９は閉塞粘着部、９ａは剥離紙、１０は付着部、１０ａは剥離紙、Ｂは便、Ｈは肛門、Ｗは液体である。
【０００９】
実施例１の排便器具１は、図１，２に示すように筒体２の先端を含む外周に防水性の長尺のチューブ４を折り畳み状態で被覆し、チューブ４を筒体２内から外方へ引き出す引張部材５をチューブ４に貫通させて水密状に固着し、引張部材５の先端に給水路５ｂを通じて給水した温水Ｗを直腸Ｈ内へ噴水するノズル５ａを形成し、ノズル５ａへ温水Ｗを給水する給水具６のチューブ６ａを引張部材５の接続部５ｃで脱着自在に接続している。
【００１０】
筒体２はガイド筒３に進退自在且つシール部３ｃにより水密状に挿入し、筒体２の先端は丸く形成し、チューブ４を破断又は傷つけることなく筒体２内へ反転させて引き込めるようにしている。ガイド筒３は筒体２を囲む開口部分を肌面側へ突出させて肛門に挿入する挿入口部３ａを形成し、反対側の外周には把手部３ｂを形成し、肌面側は吸収パッド７を肌面へ押し付ける押付部３ｄを形成している。
【００１１】
シート４ｃは、所定の色に着色された不透明のポリエチレンで構成され、便Ｂや温水Ｗや臭気が外部へ漏出せず、且つ肌面が見えないようにして被処置者は配慮している。また、チューブ４の筒体２内に引き出す前の部分は筒体２の後方で予め蛇腹状に折り畳んでおき、引張部材５で筒体２内へ引き込みながら展開するようにしている。さらに、チューブ４には所定間隔おいて環状ゴム４ｂが溶着されており、筒体２内へ引き込みながらチューブ４を部分的に縮径できるようにしている。
【００１２】
実施例１では、予め肛門に潤滑クリーム等を塗り込んで円滑に挿入し易くした後、図３（ａ）に示すように排便器具１の筒体２の先端をガイド筒３とともに直腸Ｈに挿入し、ガイド筒３の押付部３ｄで吸収パッド７を肌面に押し付けて密接する。付着部１０は剥離紙１０ａを剥離して被処置者の下腹部と臀部に付着して袋体４を仮止めし、給水具６で温水Ｗを引張部材５のノズル５ａから噴水させて直腸Ｈ内の便Ｂを温水Ｗで軟化させる。
【００１３】
次に、図３（ｂ）に示すように筒体２を直腸Ｈに挿入して便Ｂを中に埋入させると同時に引張部材５の後部を把持して後方へ引くと、便Ｂが筒体２内に取り込まれるとともにチューブ４が折り畳まれた部分を展開しながら筒体２内に引き込まれて取り込まれた便Ｂを収容していく。収容された便Ｂは、図２に示すように環状ゴム４ｂによりチューブ４が所定間隔に縮径して緊締される。
【００１４】
図４（ａ）に示すように、筒体２をほぼ挿入し終えた後、引張部材５で袋体４を筒体２内にさらに取り込みながら便Ｂを収容していき、チューブ４の折り畳み部分が無くなると筒体２を直腸Ｈから引き抜き、付着部１０を肌面から剥離して排便器具１を脱離する。そして、図４（ｂ）に示すようにシート４ｃの外周部を内側へ折り曲げて剥離紙９ａを剥離した閉塞粘着部９で封止し、便Ｂとともに排便器具１を廃棄処分する。
【実施例２】
【００１５】
図５，６に示す実施例２は、引張部材の先端に掻出具を設け、便を掻き出した後排出するようにした排便器具の例である。図５は実施例２の排便器具の断面図、図６は実施例２の排便器具の使用状態を示す説明図である。図中、５ｅは掻出具である。
【００１６】
実施例２の排便器具１は、図５に示すように引張部材５の先端に傘状の掻出具５ｅを一体的に形成している。図６に示すように、筒体２の先端を直腸Ｈに挿入した状態で引張部材５を前後に進退させて便Ｂを掻き出し又はほぐし、その後、実施例１と同じように筒体２を直腸Ｈに挿入しながら引張部材５でチューブ４を引き込んで便Ｂを収容していく。従って、実施例１と比較して便Ｂが宿便や大きい便でも詰まり等を生じることなくさらに円滑に無理なく排出できるようになる。その他、符号、構成は実施例１と同じである。
【実施例３】
【００１７】
図７，８に示す実施例３は、チューブの筒体先端位置に指を挿入する凹所を形成し、指で便をほぐした後排出するようにした排便器具の例である。図７は実施例３の排便器具の断面図、図８は実施例３の排便器具の使用状態を示す説明図である。図中、４ｄは凹所、Ｍは指である。
【００１８】
実施例３の排便器具１は、図７に示すようにチューブ４の筒体２の先端位置に指Ｍを挿入する凹所４ｄを形成し、引張部材５は棒状に代えて紐状のものを用いている。図８（ａ）に示すように、ガイド筒３のみを直腸Ｈに挿入した状態で指Ｍをチューブ４の凹所４ｄに挿入して前後に動かしながら便Ｂをほぐし、その後、筒体２をガイド筒３に挿入して実施例１と同じように筒体２を便Ｂ中に埋入させながら引張部材５でチューブ４を引き込んで便Ｂをチューブ４に収容していく。その他、符号、構成は実施例１と同じである。
【００１９】
図９，１０に示すのは実施例１〜３の排便器具の筒体の他の例である。図９，１０は実施例１〜３の他の例の筒体の説明図である。図中、２ｂは拡縮片、２ｃは板バネである。図９，１０に示す排便器具１の筒体２は、その先端を５分割して拡縮片２ｂを形成し、各拡縮片２ｂを外側に湾曲させた板バネ２ｃを介して外側へ放射状に拡幅可能に取り付けている。
【００２０】
図９（ａ），図１０（ａ）に示すように、筒体２をガイド筒３に挿入して拡縮片２ｂをガイド筒３の挿入口部３ａで縮退させた状態で直腸Ｈに挿入し、図９（ｂ），図１０（ｂ）に示すように、筒体２を前進させてガイド筒３の挿入口部３ａから拡縮片２ｂを露出させると板バネ２ｃの反力で拡縮片２ｂがチューブ４を外側へ放射状に拡幅させ、便Ｂが取り込み易くなる。その他、符号、構成は実施例１〜３と同じである。
【産業上の利用可能性】
【００２１】
本発明の排便器具は、自力で排出できないお年寄りや身障者の人の便の排出処置に利用される。
【図面の簡単な説明】
【００２２】
【図１】実施例１の排便器具の断面図である。
【図２】実施例１の排便器具の先端部の説明図である。
【図３】実施例１の排便器具の使用状態を示す説明図である。
【図４】実施例１の排便器具の使用状態を示す説明図である。
【図５】実施例２の排便器具の断面図である。
【図６】実施例２の排便器具の使用状態を示す説明図である。
【図７】実施例３の排便器具の断面図である。
【図８】実施例３の排便器具の使用状態を示す説明図である。
【図９】実施例１〜３の他の例の筒体の説明図である。
【図１０】実施例１〜３の他の例の筒体の説明図である。
【符号の説明】
【００２３】
１  排便器具
２  筒体
２ａ  把持部
２ｂ  拡縮片
２ｃ  板バネ
３  ガイド筒
３ａ  挿入口部
３ｂ  把手部
３ｃ  シール部
３ｄ  押付部
４  チューブ
４ａ  シール部
４ｂ  環状ゴム
４ｃ  シート
４ｄ  凹所
５  引張部材
５ａ  ノズル
５ｂ  給水路
５ｃ  接続部
５ｄ  栓
５ｅ  掻出具
６  給水具
６ａ  チューブ
７  吸収パッド
８  拭取パッド
９  閉塞粘着部
９ａ  剥離紙
１０  付着部
１０ａ  剥離紙
Ｂ  便
Ｈ  直腸
Ｍ  指
Ｗ  温水
【図１】
2006223704.tif 000003
【図２】
2006223704.tif 000004
【図３】
2006223704.tif 000005
【図４】
2006223704.tif 000006
【図５】
2006223704.tif 000007
【図６】
2006223704.tif 000008
【図７】
2006223704.tif 000009
【図８】
2006223704.tif 000010
【図９】
2006223704.tif 000011
【図１０】
2006223704.tif 000012
【手続補正書】
【提出日】平成17年2月21日(2005.2.21)
【手続補正１】
【補正対象書類名】明細書
【補正対象項目名】０００５
【補正方法】変更
【補正の内容】
【０００５】
かかる課題を解決した本発明の構成は、
１）  直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に貫通させて水密状に固着し、筒体の後部外周に肛門及びその周囲を覆う面積の防水性のシートを水密状に固着し、同シートの肌面側の肛門周囲位置に肛門を囲むように配置される吸収パッドを取り付け、引張部材内に給水路を形成し、同給水路を通じて給水した液体を直腸内へ噴水するノズルを引張部材の先端に形成し、同ノズルへ液体を給水する給水管を引張部材の後部と脱着自在に接続し、筒体をチューブごと直腸に挿入して引用部材のノズルから噴水させた液体で便を軟化させ、筒体の先端を便中に埋入させると同時に引張部材でチューブを筒体内へ引き込みながら便をチューブ内に取り込んで体外へ排出するようにした排便器具
２）  直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に貫通させて水密状に固着し、筒体の後部外周に肛門及びその周囲を覆う面積の防水性のシートを水密状に固着し、同シートの肌面側の肛門周囲位置に肛門を囲むように配置される吸収パッドを取り付け、引張部材の先端に直腸内の便を掻き出す掻出具を設け、筒体をチューブごと直腸に挿入して掻出具で便を掻き出し、筒体の先端を便中に埋入させると同時に引張部材でチューブを筒体内へ引き込みながら便をチューブ内に取り込んで体外へ排出するようにした排便器具
３）  掻出具の先端に引張部材を通じて給水した液体を噴水するノズルを形成し、ノズルに液体を給水する給水チューブを引張部材の後部と脱着自在に接続した前記２）記載の排便器具
４）  直腸に挿入する筒体の先端を含む外周に可撓性を有する防水性の長尺のチューブを折り畳み状態で被覆し、同チューブの筒体先端部分を閉塞し、同チューブを筒体内から外方へ引き出す引張部材をチューブの閉塞部分に固着し、筒体の後部外周に肛門及びその周囲を覆う面積の防水性のシートを水密状に固着し、同シートの肌面側の肛門周囲位置に肛門を囲むように配置される吸収パッドを取り付け、チューブの筒体先端中央部に指を挿入する凹所を形成し、筒体をチューブごと直腸に挿入して凹所に挿入した指で便をほぐし、筒体の先端を便中に埋入させると同時に引張部材でチューブを筒体内へ引き込みながら便をチューブ内に取り込んで体外へ排出するようにした排便器具
５）  筒体を進退自在且つ水密状に挿入するガイド筒を設け、同ガイド筒の肌面側にシートの吸収パッドの部分を肌面へ押し付ける押付部を設けた前記１）〜４）いずれか記載の排便器具
６）  シートの肌面側の外周部にシートで筒体の前方を被覆して閉塞する剥離紙付きの閉塞粘着部を設けた前記１）〜５）いずれか記載の排便器具
７）  シートの肌面側の閉塞粘着部の内側に吸収性の拭取パッドを取り付けた前記６）記載の排便器具
８）  拭取パッドに消毒・消臭・抗菌のいずれかの薬剤を浸漬させた前記７）記載の排便器具
９）  シートを不透明な材料で構成し、肌面が見えないようにした前記１）〜８）いずれか記載の排便器具
１０）  筒体の先端部にチューブを拡幅する拡幅機構を設け、チューブに便を取り込み易くした前記１）〜９）いずれか記載の排便器具
にある。